(57)【要約】  高い熱伝導性、絶縁性及び柔軟性を備える熱伝導性感圧接着性積層シート、並びに、該シートを備えた電子部品を提供する。ゴム、エラストマー及び樹脂よりなる群から選ばれる少なくとも一種の重合体（Ｓ１）と、膨張化黒鉛粉（Ｂ）及び／又はＰＩＴＣＨ系炭素繊維（Ｃ）と、を含む熱伝導性感圧接着剤組成物（ＥＡ）からなるＡ層、並びに、ゴム、エラストマー及び樹脂よりなる群から選ばれる少なくとも一種の重合体（Ｓ２）と、難燃性熱伝導無機化合物（Ｄ）と、を含む熱伝導性感圧接着剤組成物（ＥＢ）からなるＢ層、を備える、熱伝導性感圧接着性積層シート（Ｆ）、並びに、該シートを備えた電子部品とする。【特許請求の範囲】
【請求項１】
ゴム、エラストマー及び樹脂よりなる群から選ばれる少なくとも一種の重合体（Ｓ１）と、膨張化黒鉛粉（Ｂ）及び／又はＰＩＴＣＨ系炭素繊維（Ｃ）と、を含む熱伝導性感圧接着剤組成物（ＥＡ）からなるＡ層、並びに、ゴム、エラストマー及び樹脂よりなる群から選ばれる少なくとも一種の重合体（Ｓ２）と、難燃性熱伝導無機化合物（Ｄ）と、を含む熱伝導性感圧接着剤組成物（ＥＢ）からなるＢ層、を備える、熱伝導性感圧接着性積層シート（Ｆ）。
【請求項２】
前記熱伝導性感圧接着剤組成物（ＥＡ）が、前記重合体（Ｓ１）１００質量部に対し、３０質量部以上３００質量部以下の前記膨張化黒鉛粉（Ｂ）及び／又は１００質量部以上４００質量部以下の前記ＰＩＴＣＨ系炭素繊維（Ｃ）を含み、前記熱伝導性感圧接着剤組成物（ＥＢ）が、前記重合体（Ｓ２）１００質量部に対し、５０質量部以上３００質量部以下の前記難燃性熱伝導無機化合物（Ｄ）を含む、請求の範囲第１項に記載の熱伝導性感圧接着性積層シート（Ｆ）。
【請求項３】
前記Ｂ層の体積固有抵抗値が１０１０Ω・ｃｍ以上である、請求の範囲第１項又は第２項に記載の熱伝導性感圧接着性積層シート（Ｆ）。
【請求項４】
前記重合体（Ｓ１）が（メタ）アクリル酸エステル重合体（ＡＰ１）であり、前記重合体（Ｓ２）が（メタ）アクリル酸エステル重合体（ＡＰ２）である、請求の範囲第１項〜第３項のいずれかに記載の熱伝導性感圧接着性積層シート（Ｆ）。
【請求項５】
前記熱伝導性感圧接着剤組成物（ＥＡ）が、さらに（メタ）アクリル酸エステル単量体（α１）を含み、前記熱伝導性感圧接着剤組成物（ＥＢ）が、さらに（メタ）アクリル酸エステル単量体（α２）を含む、請求の範囲第４項に記載の熱伝導性感圧接着性積層シート（Ｆ）。
【請求項６】
前記熱伝導性感圧接着剤組成物（ＥＢ）を層状に成形しながら、又は層状に成形した後、前記（メタ）アクリル酸エステル単量体（α２）を重合させることで、Ｂ層を作製し、その後、前記Ｂ層の一方の面側に、前記熱伝導性感圧接着剤組成物（ＥＡ）を塗布し、該熱伝導性感圧接着剤組成物（ＥＡ）を層状に成形しながら、又は層状に成形した後、前記（メタ）アクリル酸エステル単量体（α１）を重合させることで、前記Ｂ層の前記一方の面側に前記熱伝導性感圧接着剤組成物（ＥＡ）からなるＡ層を積層する、請求の範囲第５項に記載の熱伝導性感圧接着性積層シート（Ｆ）。
【請求項７】
前記熱伝導性感圧接着剤組成物（ＥＡ）を層状に成形しながら、又は層状に成形した後、前記（メタ）アクリル酸エステル単量体（α１）を重合させることで、Ａ層を作製し、その後、前記Ａ層の一方の面側に、前記熱伝導性感圧接着剤組成物（ＥＢ）を塗布し、該熱伝導性感圧接着剤組成物（ＥＢ）を層状に成形しながら、又は層状に成形した後、前記（メタ）アクリル酸エステル単量体（α２）を重合させることで、前記Ａ層の前記一方の面側に前記熱伝導性感圧接着剤組成物（ＥＢ）からなるＢ層を積層する、請求の範囲第５項に記載の熱伝導性感圧接着性積層シート（Ｆ）。
【請求項８】
請求の範囲第１項〜第７項のいずれか１項に記載の熱伝導性感圧接着性シート（Ｆ）を備えた電子部品。
【請求項９】
エレクトロルミネッセンス（ＥＬ）、発光ダイオード（ＬＥＤ）光源を有する機器、自動車のパワーデバイス、燃料電池、バッテリー、太陽電池、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）である、請求の範囲第８項に記載の電子部品。
【発明の詳細な説明】
【技術分野】
【０００１】
本発明は、熱伝導性、絶縁性及び柔軟性を備える熱伝導性感圧接着性積層シート、並びに、該シートを備えた電子部品に関する。
【背景技術】
【０００２】
近年、プラズマディスプレイパネル（ＰＤＰ）、集積回路（ＩＣ）チップ等のような電子部品は、その高性能化に伴って発熱量が増大している。その結果、温度上昇による機能障害対策を講じる必要性が生じている。一般的には、電子部品等の発熱体に、金属製のヒートシンク、放熱板、放熱フィン等の放熱体を取り付けることで、熱を拡散、放熱させる方法が取られている。発熱体から放熱体への熱伝導を効率よく行うためには、各種熱伝導シートが使用されているが、一般に、発熱体と放熱体とを固定する用途においては熱伝導性感圧接着性シートが必要とされている。一方、ＬＥＤ搭載機器、ノートパソコン、携帯電話機、携帯情報端末（ＰＤＡ）などの小型電子機器では、温度上昇による機能障害対策がより重要となっているが、薄型化が進んだ結果、熱対策を行うスペースがなくなり、従来行われてきたファン、フィンを用いての放熱が困難とされている。この場合、より高い熱伝導性を有する熱伝導性感圧接着性シートが必要とされている。【０００３】
このような熱伝導性感圧接着性シートは、熱伝導性に加えて、用途に応じたその他の性能も要求されることがある。熱伝導性感圧接着性シートなどのようなシート状の部材に複数の性能を備えさせるためには、異なる性能を持った層を積層して積層シートとすることが考えられる。例えば、特許文献１には、芳香族ポリアミドフィルムに樹脂層や金属層を積層した積層シートに関する技術が開示されており、かかる積層シートによれば、絶縁性などを備える信頼性が高い積層シートとすることができるとしている。
【先行技術文献】
【特許文献】
【０００４】
【特許文献１】特開２００２−１４４５１０号公報
【発明の概要】
【発明が解決しようとする課題】
【０００５】
上記したように、熱伝導性感圧接着性シートは、用途に応じて熱伝導性以外の性能も要求される。具体的には、熱伝導性に加えて、柔軟性を要求され、また特にＬＥＤ光源等へ直接貼り付ける用途に対応するための絶縁性も要求されてきている。しかしながら、上記特許文献１に開示されている技術を含めて、これまでに開示されている従来の技術では、熱伝導性、絶縁性及び柔軟性を備えた熱伝導性感圧接着性シートを提供することは困難であった。例えば、熱伝導性及び絶縁性を両立させるためには、金属層と樹脂層からなる積層シートなどが考えられるが、金属層を用いれば、柔軟性が損なわれるため柔軟性が求められる用途には好適ではない。さらに金属層と樹脂層とでは柔軟性に差があるため、折り曲げたりした際に界面で剥離しやすいなどの問題もあった。【０００６】
そこで、本発明は、熱伝導性、絶縁性及び柔軟性を備える熱伝導性感圧接着性積層シート、並びに、該シートを備えた電子部品を提供することを目的とする。
【課題を解決するための手段】
【０００７】
本発明者らは、所定の材料からなる高い熱伝導性及び柔軟性を有する層と、所定の材料からなる絶縁性及び柔軟性を有する層とを積層して密着させた積層シートとすることで、上記課題を解決できることを見出し、本発明を完成するに至った。【０００８】
かくして、第１の本発明によれば、ゴム、エラストマー及び樹脂よりなる群から選ばれる少なくとも一種の重合体（Ｓ１）と、膨張化黒鉛粉（Ｂ）及び／又はＰＩＴＣＨ系炭素繊維（Ｃ）と、を含む熱伝導性感圧接着剤組成物（ＥＡ）からなるＡ層、並びに、ゴム、エラストマー及び樹脂よりなる群から選ばれる少なくとも一種の重合体（Ｓ２）と、難燃性熱伝導無機化合物（Ｄ）と、を含む熱伝導性感圧接着剤組成物（ＥＢ）からなるＢ層、を備える、熱伝導性感圧接着性積層シート（Ｆ）が提供される。【０００９】
上記第１の本発明の熱伝導性感圧接着性積層シート（Ｆ）において、熱伝導性感圧接着剤組成物（ＥＡ）が、重合体（Ｓ１）１００質量部に対し、３０質量部以上３００質量部以下の膨張化黒鉛粉（Ｂ）及び／又は１００質量部以上４００質量部以下のＰＩＴＣＨ系炭素繊維（Ｃ）を含み、熱伝導性感圧接着剤組成物（ＥＢ）が、重合体（Ｓ２）１００質量部に対し、５０質量部以上３００質量部以下の難燃性熱伝導無機化合物（Ｄ）を含むことが好ましい。【００１０】
上記第１の本発明の熱伝導性感圧接着性積層シート（Ｆ）において、前記Ｂ層の体積固有抵抗値が１０１０Ω・ｃｍ以上であることが好ましい。【００１１】
上記第１の本発明の熱伝導性感圧接着性積層シート（Ｆ）において、重合体（Ｓ１）が（メタ）アクリル酸エステル重合体（ＡＰ１）であり、重合体（Ｓ２）が（メタ）アクリル酸エステル重合体（ＡＰ２）であることが好ましい。本発明において、「（メタ）アクリル」とは、「アクリル、及び／又は、メタクリル」を意味する。重合体（Ｓ１）を（メタ）アクリル酸エステル重合体（ＡＰ１）とするとともに、重合体（Ｓ２）を（メタ）アクリル酸エステル重合体（ＡＰ２）とすることによって、熱伝導性感圧接着性積層シート（Ｆ）に接着性・柔軟性を付与させやすい。【００１２】
上記第１の本発明の熱伝導性感圧接着性積層シート（Ｆ）において、（メタ）アクリル酸エステル重合体（ＡＰ１）を含む熱伝導性感圧接着剤組成物（ＥＡ）が、さらに（メタ）アクリル酸エステル単量体（α１）を含み、（メタ）アクリル酸エステル重合体（ＡＰ２）を含む熱伝導性感圧接着剤組成物（ＥＢ）が、さらに（メタ）アクリル酸エステル単量体（α２）を含むことが好ましい。かかる形態とすることによって、Ａ層及びＢ層の成形性を向上させるとともに、Ａ層及びＢ層の界面をより密着させることができる。Ａ層及びＢ層の界面を密着させることによって、熱伝導性感圧接着性積層シート（Ｆ）の熱伝導性を向上させることができる。【００１３】
上記第１の本発明の熱伝導性感圧接着性積層シート（Ｆ）は、（メタ）アクリル酸エステル重合体（ＡＰ２）及び（メタ）アクリル酸エステル単量体（α２）を含む熱伝導性感圧接着剤組成物（ＥＢ）を層状に成形しながら、又は層状に成形した後、（メタ）アクリル酸エステル単量体（α２）を重合させることで、Ｂ層を作製し、その後、Ｂ層の一方の面側に、（メタ）アクリル酸エステル重合体（ＡＰ１）及び（メタ）アクリル酸エステル単量体（α１）を含む熱伝導性感圧接着剤組成物（ＥＡ）塗布し、該熱伝導性感圧接着剤組成物（ＥＡ）を層状に成形しながら、又は層状に成形した後、（メタ）アクリル酸エステル単量体（α１）を重合させることで、Ｂ層の一方の面側に熱伝導性感圧接着剤組成物（ＥＡ）からなるＡ層を積層したものであることが好ましい。かかる形態とすることによって、Ａ層とＢ層とをより密着させることができ、熱伝導性感圧接着性積層シート（Ｆ）の熱伝導性をより向上させることができる。【００１４】
また、第１の本発明の熱伝導性感圧接着性積層シート（Ｆ）は、（メタ）アクリル酸エステル重合体（ＡＰ１）及び（メタ）アクリル酸エステル単量体（α１）を含む熱伝導性感圧接着剤組成物（ＥＡ）を層状に成形しながら、又は層状に成形した後、（メタ）アクリル酸エステル単量体（α１）を重合させることで、Ａ層を作製し、その後、Ａ層の一方の面側に、（メタ）アクリル酸エステル重合体（ＡＰ２）及び（メタ）アクリル酸エステル単量体（α２）を含む熱伝導性感圧接着剤組成物（ＥＢ）塗布し、該熱伝導性感圧接着剤組成物（ＥＢ）を層状に成形しながら、又は層状に成形した後、（メタ）アクリル酸エステル単量体（α２）を重合させることで、Ａ層の一方の面側に熱伝導性感圧接着剤組成物（ＥＢ）からなるＢ層を積層したものであっても良い。かかる形態とすることによっても、Ａ層とＢ層とをより密着させることができ、熱伝導性感圧接着性積層シート（Ｆ）の熱伝導性をより向上させることができる。【００１５】
また、第２の本発明によれば、第１の本発明の熱伝導性感圧接着性シート（Ｆ）を備えた電子部品が提供される。【００１６】
第２の本発明の電子部品としては、エレクトロルミネッセンス（ＥＬ）、発光ダイオード（ＬＥＤ）光源を有する機器、自動車のパワーデバイス、燃料電池、バッテリー、太陽電池、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、又は集積回路（ＩＣ）などを挙げることができる。
【発明の効果】
【００１７】
本発明によれば、高い熱伝導性、絶縁性及び柔軟性を備える熱伝導性感圧接着性積層シート、並びに、該シートを備えた電子部品を得ることができる。
【発明を実施するための形態】
【００１８】
本発明の熱伝導性感圧接着性積層シート（Ｆ）は、ゴム、エラストマー及び樹脂よりなる群から選ばれる少なくとも一種の重合体（Ｓ１）と、膨張化黒鉛粉（Ｂ）及び／又はＰＩＴＣＨ系炭素繊維（Ｃ）と、を含む熱伝導性感圧接着剤組成物（ＥＡ）からなるＡ層、並びに、ゴム、エラストマー及び樹脂よりなる群から選ばれる少なくとも一種の重合体（Ｓ２）と、難燃性熱伝導無機化合物（Ｄ）と、を含む熱伝導性感圧接着剤組成物（ＥＢ）からなるＢ層を備えている。
【００１９】
１．熱伝導性感圧接着剤組成物（ＥＡ）
熱伝導性感圧接着剤組成物（ＥＡ）は、ゴム、エラストマー及び樹脂よりなる群から選ばれる少なくとも一種の重合体（Ｓ１）と、膨張化黒鉛粉（Ｂ）及び／又はＰＩＴＣＨ系炭素繊維（Ｃ）と、を含む。以下にこれらの各物質について詳細に説明する。
【００２０】
＜重合体（Ｓ１）＞
重合体（Ｓ１）を構成するものとしては、ゴム、エラストマー及び樹脂の中から任意に選んだ少なくとも一種を挙げることができる。そして、熱伝導性感圧接着剤組成物（ＥＡ）からなるＡ層に接着性又は粘着性を備えさせるには、重合体（Ｓ１）に接着性又は粘着性を備えさせることが好ましい。重合体（Ｓ１）に、接着性又は粘着性を備えさせるためには、ゴム、エラストマー及び樹脂は、接着性又は粘着性を有するものの中から選ぶことが好ましい。しかしながら、接着性又は粘着性を有しないゴム、エラストマー及び樹脂に、粘接着性付与剤を組み合わせて用いることもできる。
【００２１】
本発明に用いることができるゴム、エラストマー及び樹脂の具体例を以下に列記する。
【００２２】
天然ゴム、ポリブタジエンゴム、ポリイソプレンゴムなどの、共役ジエン重合体；ブチルゴム；スチレン−ブタジエンランダム共重合体、スチレン−イソプレンランダム共重合体、スチレン−ブタジエン−イソプレンランダム共重合体、スチレン−ブタジエンブロック共重合体、スチレン−イソプレンブロック共重合体、スチレン−ブタジエン−イソプレンブロック共重合体、スチレン−イソプレン−スチレンブロック共重合体などの、芳香族ビニル−共役ジエン共重合体；スチレン−ブタジエン共重合体の水素添加物などの、芳香族ビニル−共役ジエン共重合体の水素添加物；アクリロニトリル−ブタジエン共重合ゴム、アクリロニトリル−イソプレン共重合ゴムなどの、シアン化ビニル化合物−共役ジエン共重合体；アクリロニトリル−ブタジエン共重合体の水素添加物などの、シアン化ビニル化合物−共役ジエン共重合体の水素添加物；シアン化ビニル−芳香族ビニル−共役ジエン共重合体；シアン化ビニル化合物−芳香族ビニル−共役ジエン共重合体の水素添加物；シアン化ビニル化合物−共役ジエン共重合体とポリ（ハロゲン化ビニル）との混合物；ポリアクリル酸、ポリメタクリル酸、ポリアクリル酸メチル、ポリメタクリル酸メチル、ポリアクリル酸エチル、ポリメタクリル酸エチル、ポリ（アクリル酸ｎ−ブチル）、ポリ（メタクリル酸ｎ−ブチル）、ポリ（アクリル酸２−エチルヘキシル）、ポリ（メタクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕、ポリアクリル酸ステアリル、ポリメタクリル酸ステアリルなどの、（メタ）アクリル重合体；ポリエピクロロヒドリンゴム、ポリエピブロモヒドリンゴムなどの、ポリエピハロヒドリンゴム；ポリエチレンオキシド、ポリプロピレンオキシドなどの、ポリアルキレンオキシド；エチレン−プロピレン−ジエン共重合体（ＥＰＤＭ）；シリコーンゴム；シリコーン樹脂；フッ素ゴム；フッ素樹脂；ポリエチレン；エチレン−プロピレン共重合体、エチレン−ブテン共重合体などの、エチレン−α−オレフィン共重合体；ポリプロピレン、ポリ−１−ブテン、ポリ−１−オクテンなどの、α−オレフィン重合体；ポリ塩化ビニル樹脂、ポリ臭化ビニル樹脂などの、ポリハロゲン化ビニル樹脂；ポリ塩化ビニリデン樹脂、ポリ臭化ビニリデン樹脂などの、ポリハロゲン化ビニリデン樹脂；エポキシ樹脂；フェノール樹脂；ポリフェニレンエーテル樹脂；ナイロン−６、ナイロン−６，６、ナイロン−６，１２などの、ポリアミド；ポリウレタン；ポリエステル；ポリ酢酸ビニル；ポリ（エチレン−ビニルアルコール）；などを挙げる��とができる。
【００２３】
上記したゴム、エラストマー及び樹脂の具体例の中でも、スチレン−イソプレンブロック共重合体、スチレン−イソプレン−スチレンブロック共重合体、ポリアクリル酸エチル、ポリ（アクリル酸ｎ−ブチル）、ポリ（アクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕が、接着性、粘着性に優れるため好ましい。
【００２４】
より好ましくは、ポリ（アクリル酸ｎ−ブチル）、ポリ（アクリル酸２−エチルヘキシル）、ポリ〔アクリル酸−（アクリル酸ｎ−ブチル）〕、ポリ〔アクリル酸−（アクリル酸２−エチルヘキシル）〕、ポリ〔アクリル酸−（アクリル酸ｎ−ブチル）−（アクリル酸２−エチルヘキシル）〕、ポリ〔メタクリル酸−（アクリル酸ｎ−ブチル）〕、ポリ〔メタクリル酸−（アクリル酸２−エチルヘキシル）〕、ポリ〔メタクリル酸−（アクリル酸ｎ−ブチル）−（アクリル酸２−エチルヘキシル）〕、ポリ〔アクリル酸−メタクリル酸−（アクリル酸ｎ−ブチル）〕、ポリ〔アクリル酸−メタクリル酸−（アクリル酸２−エチルヘキシル）〕、ポリ〔アクリル酸−メタクリル酸−（アクリル酸ｎ−ブチル）−（アクリル酸２−エチルヘキシル）〕が挙げられる。
【００２５】
さらに好ましくは、ポリ〔アクリル酸−（アクリル酸２−エチルヘキシル）〕、ポリ〔メタクリル酸−（アクリル酸２−エチルヘキシル）〕、ポリ〔アクリル酸−メタクリル酸−（アクリル酸２−エチルヘキシル）〕が挙げられる。
【００２６】
ゴム、エラストマー、及び、樹脂の具体例として挙げた上記物質は、一種を単独で用いてもよく、二種以上を併用してもよい。重合体（Ｓ１）を構成するものとしては、後に詳細に説明するように、（メタ）アクリル酸エステル重合体（ＡＰ１）が好ましく、（メタ）アクリル酸エステル重合体（ＡＰ１）の存在下に（メタ）アクリル酸エステル単量体（α１）を重合することにより得られるものが特に好ましい。
【００２７】
重合体（Ｓ１）に所望により配合される粘接着性付与剤としては、各種公知のものを使用できる。例えば石油樹脂、テルペン樹脂、フェノール樹脂及びロジン樹脂が挙げられるが、これらのなかでも石油樹脂が好ましい。これらは、一種を単独で用いてもよく、二種以上を併用してもよい。
【００２８】
石油樹脂の具体例としては、ペンテン、ペンタジエン、イソプレンなどから得られるＣ５石油樹脂；インデン、メチルインデン、ビニルトルエン、スチレン、α−メチルスチレン、β−メチルスチレンなどから得られるＣ９石油樹脂；上記各種モノマーから得られるＣ５−Ｃ９共重合石油樹脂；シクロペンタジエン、ジシクロペンタジエンから得られる石油樹脂；それらの石油樹脂の水素化物；それらの石油樹脂を無水マレイン酸、マレイン酸、フマル酸、（メタ）アクリル酸、フェノールなどで変性した変性石油樹脂；などを挙げることができる。
【００２９】
テルペン系樹脂としてはα−ピネン樹脂、β−ピネン樹脂や、α−ピネン、β−ピネンなどのテルペン類とスチレンなどの芳香族モノマーを共重合させた芳香族変性のテルペン系樹脂などを例示できる。
【００３０】
フェノール樹脂としては、フェノール類とホルムアルデヒドの縮合物を使用できる。該フェノール類としては、フェノール、ｍ−クレゾール、３，５−キシレノール、ｐ−アルキルフェノール、レゾルシンなどが挙げられ、これらフェノール類とホルムアルデヒドをアルカリ触媒で付加反応させたレゾールや、酸触媒で縮合反応させて得られるノボラックなどが例示できる。また、ロジンにフェノールを酸触媒で付加させ熱重合することにより得られるロジンフェノール樹脂なども例示できる。
【００３１】
ロジン樹脂としてはガムロジン、ウッドロジンもしくはトール油ロジンや、前記ロジンを用いて不均化もしくは水素添加処理した安定化ロジンや重合ロジンや、無水マレイン酸、マレイン酸、フマル酸、（メタ）アクリル酸、フェノールなどで変性した変性ロジンや、それらのエステル化物などが挙げられる。
【００３２】
上記エステル化物を得るためのエステル化に用いられるアルコールとしては多価アルコールが好ましく、その例としては、エチレングリコール、ジエチレングリコール、プロピレングリコール、ネオペンチルグリコールなどの２価アルコールや、グリセリン、トリメチロールエタン、トリメチロールプロパンなどの３価アルコールや、ペンタエリスリトール、ジグリセリンなどの４価アルコールや、ジペンタエリスリトールなどの６価アルコールなどが挙げられ、これらは一種を単独で用いてもよく、二種以上を併用してもよい。
【００３３】
これら粘接着性付与剤の軟化点は特に限定されないが、２００℃以下の高軟化点のものから室温にて液状のものを適宜選択して使用できる。
【００３４】
（（メタ）アクリル酸エステル重合体（ＡＰ１））
熱伝導性感圧接着剤組成物（ＥＡ）をＡ層とする際に、該Ａ層に接着性・柔軟性を付与させやすいという観点からは、重合体（Ｓ１）が（メタ）アクリル酸エステル重合体（ＡＰ１）であることが好ましい。以下、（メタ）アクリル酸エステル重合体（ＡＰ１）について詳細に説明する。
【００３５】
（メタ）アクリル酸エステル重合体（ＡＰ１）は、特に限定されないが、ガラス転移温度が−２０℃以下となる単独重合体を形成する（メタ）アクリル酸エステル単量体の単位（ａ１）、及び、有機酸基を有する単量体単位（ａ２）を含有することが好ましい。
【００３６】
ガラス転移温度が−２０℃以下となる単独重合体を成形する（メタ）アクリル酸エステル単量体の単位（ａ１）を与える（メタ）アクリル酸エステル単量体（ａ１ｍ）には、特に限定はないが、例えば、アクリル酸エチル（単独重合体のガラス転移温度は、−２４℃）、アクリル酸プロピル（同−３７℃）、アクリル酸ブチル（同−５４℃）、アクリル酸ｓｅｃ−ブチル（同−２２℃）、アクリル酸ヘプチル（同−６０℃）、アクリル酸ヘキシル（同−６１℃）、アクリル酸オクチル（同−６５℃）、アクリル酸２−エチルヘキシル（同−５０℃）、アクリル酸２−メトキシエチル（同−５０℃）、アクリル酸３−メトキシプロピル（同−７５℃）、アクリル酸３−メトキシブチル（同−５６℃）、アクリル酸２−エトキシメチル（同−５０℃）、メタクリル酸オクチル（同−２５℃）、メタクリル酸デシル（同−４９℃）などを挙げることができる。
【００３７】
これらの（メタ）アクリル酸エステル単量体（ａ１ｍ）は、一種を単独で使用してもよく、二種以上を併用してもよい。
【００３８】
これらの（メタ）アクリル酸エステル単量体（ａ１ｍ）は、それから導かれる単量体単位（ａ１）が（メタ）アクリル酸エステル重合体（ＡＰ１）中、好ましくは８０質量％以上９９．９質量％以下、より好ましくは８５質量％以上９９．５質量％以下となるような量で重合に使用される。（メタ）アクリル酸エステル単量体（ａ１ｍ）の使用量が、上記範囲内であると、これから得られるＡ層の室温付近での感圧接着性に優れる。
【００３９】
有機酸基を有する単量体単位（ａ２）を与える単量体（ａ２ｍ）は、特に限定されず、その代表的なものとして、カルボキシル基、酸無水物基、スルホン酸基などの有機酸基を有する単量体を挙げることができるが、これらのほか、スルフェン酸基、スルフィン酸基、燐酸基などを含有する単量体も使用することができる。
【００４０】
カルボキシル基を有する単量体の具体例としては、例えば、アクリル酸、メタクリル酸、クロトン酸などのα，β−エチレン性不飽和モノカルボン酸や、イタコン酸、マレイン酸、フマル酸などのα，β−エチレン性不飽和多価カルボン酸の他、イタコン酸メチル、マレイン酸ブチル、フマル酸プロピルなどのα，β−エチレン性不飽和多価カルボン酸部分エステルなどを挙げることができる。また、無水マレイン酸、無水イタコン酸などの、加水分解などによりカルボキシル基に誘導することができる基を有するものも同様に使用することができる。
【００４１】
スルホン酸基を有する単量体の具体例としては、アリルスルホン酸、メタリルスルホン酸、ビニルスルホン酸、スチレンスルホン酸、アクリルアミド−２−メチルプロパンスルホン酸などのα，β−不飽和スルホン酸、及び、これらの塩を挙げることができる。
【００４２】
これらの有機酸基を有する単量体のうち、カルボキシル基を有する単量体がより好ましく、中でも、アクリル酸、メタクリル酸が特に好ましい。これらは、工業的に安価で容易に入手することができ、他の単量体成分との共重合性も良く、生産性の点でも好ましい。
これらの有機酸基を有する単量体（ａ２ｍ）は、一種を単独で使用してもよく、二種以上を併用してもよい。
【００４３】
これらの有機酸基を有する単量体（ａ２ｍ）は、それから導かれる単量体単位（ａ２）が（メタ）アクリル酸エステル重合体（ＡＰ１）中、０．１質量％以上２０質量％以下、好ましくは０．５質量％以上１５質量％以下となるような量で重合に使用されるのが望ましい。上記範囲内での使用においては、重合時の重合系の粘度を適正な範囲に保つことができる。
【００４４】
なお、有機酸基を有する単量体単位（ａ２）は、前述のように、有機酸基を有する単量体（ａ２ｍ）の重合によって、（メタ）アクリル酸エステル重合体中に導入するのが簡便であり好ましいが、（メタ）アクリル酸エステル重合体生成後に、公知の高分子反応により、有機酸基を導入してもよい。
【００４５】
（メタ）アクリル酸エステル重合体（ＡＰ１）は、有機酸基以外の官能基を含有する単量体（ａ３ｍ）から誘導される重合体単位（ａ３）を含有していてもよい。
【００４６】
有機酸基以外の官能基としては、水酸基、アミノ基、アミド基、エポキシ基、メルカプト基などを挙げることができる。
【００４７】
水酸基を有する単量体としては、（メタ）アクリル酸ヒドロキシエチル、（メタ）アクリル酸ヒドロキシプロピルなどの、（メタ）アクリル酸ヒドロキシアルキルエステルなどを挙げることができる。
【００４８】
アミノ基を含有する単量体としては、（メタ）アクリル酸Ｎ，Ｎ−ジメチルアミノメチル、（メタ）アクリル酸Ｎ，Ｎ−ジメチルアミノエチル、アミノスチレンなどを挙げることができる。
【００４９】
アミド基を有する単量体としては、アクリルアミド、メタクリルアミド、Ｎ−メチロールアクリルアミド、Ｎ−メチロールメタクリルアミド、Ｎ，Ｎ−ジメチルアクリルアミドなどのα，β−エチレン性不飽和カルボン酸アミド単量体などを挙げることができる。
【００５０】
エポキシ基を有する単量体としては、（メタ）アクリル酸グリシジル、アリルグリシジルエーテルなどを挙げることができる。
【００５１】
有機酸基以外の官能基を含有する単量体（ａ３ｍ）は、一種を単独で使用してもよく、二種以上を併用してもよい。
【００５２】
これらの有機酸基以外の官能基を有する単量体（ａ３ｍ）は、それから導かれる単量体単位（ａ３）が（メタ）アクリル酸エステル重合体（ＡＰ１）中、１０質量％以下となるような量で重合に使用されるのが好ましい。１０質量％以下の単量体（ａ３ｍ）を使用することにより、重合時の粘度を適正に保つことができる。
【００５３】
（メタ）アクリル酸エステル重合体（ＡＰ１）は、上述したガラス転移温度が−２０℃以下となる単独重合体を形成する（メタ）アクリル酸エステル単量体の単位（ａ１）、有機酸基を有する単量体単位（ａ２）、及び、有機酸基以外の官能基を含有する単量体単位（ａ３）以外に、これらの単量体と共重合可能な単量体（ａ４ｍ）から誘導される単量体単位（ａ４）を含有していてもよい。単量体（ａ４ｍ）は、一種を単独で使用してもよく、二種以上を併用してもよい。
【００５４】
単量体（ａ４ｍ）から導かれる単量体単位（ａ４）の量は、アクリル酸エステル重合体（Ａ１）の１０質量％以下が好ましく、より好ましくは、５質量％以下である。
【００５５】
単量体（ａ４ｍ）は、特に限定されないが、その具体例として、ガラス転移温度が−２０℃以下となる単独重合体を成形する（メタ）アクリル酸エステル単量体（ａ１ｍ）以外の（メタ）アクリル酸エステル単量体、α，β−エチレン性不飽和多価カルボン酸完全エステル、アルケニル芳香族単量体、共役ジエン系単量体、非共役ジエン系単量体、シアン化ビニル単量体、カルボン酸不飽和アルコールエステル、オレフィン系単量体などを挙げることができる。
【００５６】
ガラス転移温度が−２０℃以下となる単独重合体を形成する（メタ）アクリル酸エステル単量体（ａ１ｍ）以外の（メタ）アクリル酸エステル単量体の具体例としては、アクリル酸メチル（単独重合体のガラス転移温度は、１０℃）、メタクリル酸メチル（同１０５℃）、メタクリル酸エチル（同６３℃）、メタクリル酸プロピル（同２５℃）、メタクリル酸ブチル（同２０℃）などを挙げることができる。
【００５７】
α，β−エチレン性不飽和多価カルボン酸完全エステルの具体例としては、フマル酸ジメチル、フマル酸ジエチル、マレイン酸ジメチル、マレイン酸ジエチル、イタコン酸ジメチルなどを挙げることができる。
【００５８】
アルケニル芳香族単量体の具体例としては、スチレン、α−メチルスチレン、メチルα−メチルスチレン、ビニルトルエン、及び、ジビニルベンゼンなどを挙げることができる。
【００５９】
共役ジエン系単量体の具体例としては、１，３−ブタジエン、２−メチル−１，３−ブタジエン（イソプレンと同義）、１，３−ペンタジエン、２，３−ジメチル−１，３−ブタジエン、２−クロロ−１，３−ブタジエン、シクロペンタジエンなどを挙げることができる。
【００６０】
非共役ジエン系単量体の具体例としては、１，４−ヘキサジエン、ジシクロペンタジエン、エチリデンノルボルネンなどを挙げることができる。
【００６１】
シアン化ビニル単量体の具体例としては、アクリロニトリル、メタクリロニトリル、α−クロロアクリロニトリル、α−エチルアクリロニトリルなどを挙げることができる。
【００６２】
カルボン酸不飽和アルコールエステル単量体の具体例としては、酢酸ビニルなどを挙げることができる。
【００６３】
オレフィン系単量体の具体例としては、エチレン、プロピレン、ブテン、ペンテンなどを挙げることができる。
【００６４】
（メタ）アクリル酸エステル重合体（ＡＰ１）の重量平均分子量（Ｍｗ）は、ゲルパーミエーションクロマトグラフ法（ＧＰＣ法）で測定して、１０万から４０万の範囲にあることが好ましく、１５万から３０万の範囲にあることが、より好ましい。
【００６５】
（メタ）アクリル酸エステル重合体（ＡＰ１）は、ガラス転移温度が−２０℃以下となる単独重合体を形成する（メタ）アクリル酸エステル単量体（ａ１ｍ）、有機酸基を有する単量体（ａ２ｍ）、必要に応じて使用する、有機酸基以外の官能基を含有する単量体（ａ３ｍ）、及び、必要に応じて使用するこれらの単量体と共重合可能な単量体（ａ４ｍ）を共重合することによって特に好適に得ることができる。
【００６６】
重合の方法は、特に限定されず、溶液重合、乳化重合、懸濁重合、塊状重合などのいずれであってもよく、これ以外の方法でもよい。好ましくは、溶液重合であり、中でも重合溶媒として、酢酸エチル、乳酸エチルなどのカルボン酸エステルやベンゼン、トルエン、キシレンなどの芳香族溶媒を用いた溶液重合がより好ましい。
【００６７】
重合に際して、単量体は、重合反応容器に分割添加してもよいが、全量を一括添加するのが好ましい。
【００６８】
重合開始の方法は、特に限定されないが、重合開始剤として熱重合開始剤を用いるのが好ましい。熱重合開始剤は、特に限定されず、過酸化物及びアゾ化合物のいずれでもよい。
【００６９】
過酸化物重合開始剤としては、ｔ−ブチルヒドロペルオキシドのようなヒドロペルオキシドや、ベンゾイルペルオキシド、シクロヘキサノンペルオキシドのようなペルオキシドの他、過硫酸カリウム、過硫酸ナトリウム、過硫酸アンモニウムなどの過硫酸塩などを挙げることができる。これらの過酸化物は、還元剤と適宜組み合わせて、レドックス系触媒として使用することもできる。
【００７０】
アゾ化合物重合開始剤としては、２，２’−アゾビスイソブチロニトリル、２，２’−アゾビス（２，４−ジメチルバレロニトリル）、２，２’−アゾビス（２−メチルブチロニトリル）などを挙げることができる。
【００７１】
重合開始剤の使用量は、特に限定されないが、単量体１００質量部に対して、０．０１質量部以上５０質量部以下の範囲であるのが好ましい。
【００７２】
これらの単量体のその他の重合条件（重合温度、圧力、撹拌条件など々）は、特に制限がない。
【００７３】
重合反応終了後、必要により、得られた重合体を重合媒体から分離する。分離の方法は、特に限定されないが、溶液重合の場合、重合溶液を減圧下に置き、重合溶媒を留去することにより、（メタ）アクリル酸エステル重合体（ＡＰ１）を得ることができる。
【００７４】
（メタ）アクリル酸エステル重合体（ＡＰ１）の重量平均分子量は、重合の際に使用する重合開始剤の量や、連鎖移動剤の量を適宜調整することによって制御することができる。
【００７５】
（（メタ）アクリル酸エステル単量体（α１））
熱伝導性感圧接着剤組成物（ＥＡ）をＡ層とする際に、該Ａ層の成形性を向上させるという観点からは、重合体（Ｓ１）が、（メタ）アクリル酸エステル重合体（ＡＰ１）の存在下に（メタ）アクリル酸エステル単量体（α１）を重合することにより得られるものであることが特に好ましい。また、後に詳述するように、熱伝導性感圧接着剤組成物（ＥＢ）に含有される重合体（Ｓ２）も、（メタ）アクリル酸エステル重合体（ＡＰ２）の存在下に（メタ）アクリル酸エステル単量体（α２）を重合することにより得られるものであることが好ましく、熱伝導性感圧接着剤組成物（ＥＡ）からなるＡ層及び熱伝導性感圧接着剤組成物（ＥＢ）からなるＢ層を積層して熱伝導性感圧接着性積層シート（Ｆ）とする際には、はじめにＡ層又はＢ層のどちらか一方の層を先に作製し（熱伝導性感圧接着剤組成物中の（メタ）アクリル酸エステル単量体を重合させて作製し）、その後、他方の層となる熱伝導性感圧接着剤組成物（ＥＢ）又は熱伝導性感圧接着剤組成物（ＥＡ）をその上に塗布し、塗布した熱伝導性感圧接着剤組成物中の（メタ）アクリル酸エステル単量体を重合させて（メタ）アクリル酸エステル重合体に変換させることが好ましい。かかる形態とすることによって、Ａ層とＢ層とをより密着させることができ、熱伝導性感圧接着性積層シート（Ｆ）の熱伝導性をより向上させることができる。
【００７６】
（メタ）アクリル酸エステル単量体（α１）は、（メタ）アクリル酸エステル単量体を含有するものであれば、特に限定されないが、ガラス転移温度が−２０℃以下となる単独重合体を形成する（メタ）アクリル酸エステル単量体（ａ５ｍ）を含有するものであることが好ましい。
【００７７】
ガラス転移温度が−２０℃以下となる単独重合体を形成する（メタ）アクリル酸エステル単量体（ａ５ｍ）の例としては、（メタ）アクリル酸エステル重合体（ＡＰ１）の合成に用いる（メタ）アクリル酸エステル単量体（ａ１ｍ）と同様の（メタ）アクリル酸エステル単量体を挙げることができる。（メタ）アクリル酸エステル単量体（ａ５ｍ）は、一種を単独で使用してもよく、二種以上を併用してもよい。
【００７８】
また、（メタ）アクリル酸エステル単量体（α１）は、（メタ）アクリル酸エステル単量体（ａ５ｍ）及びそれと共重合可能な単量体との混合物として用いてもよい。
【００７９】
特に好ましい（メタ）アクリル酸エステル単量体（α１）は、ガラス転移温度が−２０℃以下となる単独重合体を形成する（メタ）アクリル酸エステル単量体（ａ５ｍ）、及び、有機酸基を有する単量体（ａ６ｍ）からなるものである。
【００８０】
有機酸基を有する単量体（ａ６ｍ）の例としては、（メタ）アクリル酸エステル重合体（ＡＰ１）の合成に用いる単量体（ａ２ｍ）として例示したものと同様の有機酸基を有する単量体を挙げることができる。有機酸基を有する単量体（ａ６ｍ）は、一種を単独で使用してもよく、二種以上を併用してもよい。
【００８１】
（メタ）アクリル酸エステル単量体（α１）における、（メタ）アクリル酸エステル単量体（ａ５ｍ）の比率は、好ましくは７０質量％以上９９．９質量％以下、より好ましくは７５質量％以上９９質量％以下である。（メタ）アクリル酸エステル単量体（ａ５ｍ）の比率が、上記範囲にあるときは、Ａ層の感圧接着性や柔軟性に優れる。
【００８２】
（メタ）アクリル酸エステル単量体（α１）における、有機酸基を有する単量体（ａ６ｍ）の比率は、０．１質量％以上３０質量％以下が好ましく、より好ましくは１質量％以上２５質量％以下である。有機酸基を有する単量体（ａ６ｍ）の比率が、上記範囲にあるときは、熱伝導性感圧接着性シートの硬度が適正となり、高温（１００℃）での感圧接着性が良好なものとなる。
【００８３】
（メタ）アクリル酸エステル単量体（α１）は、（メタ）アクリル酸エステル単量体（ａ５ｍ）及び有機酸基を有する単量体（ａ６ｍ）の他に、これらと共重合可能な単量体（ａ７ｍ）を２０質量％以下の範囲で含有することができる。
【００８４】
上記単量体（ａ７ｍ）の例としては、（メタ）アクリル酸エステル重合体（ＡＰ１）の合成に用いる単量体（ａ３ｍ）、単量体（ａ４ｍ）、又は下記に示す多官能性単量体として例示するものと同様の単量体を挙げることができる。
【００８５】
共重合可能な単量体（ａ７ｍ）としては、前述したように、二以上の重合性不飽和結合を有する、多官能性単量体を用いることもできる。多官能性単量体を共重合させることにより、共重合体に分子内及び／又は分子間架橋を導入して、感圧接着剤としての凝集力を高めることができる。
【００８６】
多官能性単量体としては、１，６−ヘキサンジオールジ（メタ）アクリレート、１，２−エチレングリコールジ（メタ）アクリレート、１，１２−ドデカンジオールジ（メタ）アクリレート、ポリエチレングリコールジ（メタ）アクリレート、ポリプロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジトリメチロールプロパントリ（メタ）アクリレート、ペンタエリスリトールテトラ（メタ）アクリレート、ジペンタエリスリトールヘキサ（メタ）アクリレートなどの多官能性（メタ）アクリレートや、２，４−ビス（トリクロロメチル）−６−ｐ−メトキシスチレン−５−トリアジンなどの置換トリアジンの他、４−アクリルオキシベンゾフェノンのようなモノエチレン系不飽和芳香族ケトンなどを用いることができる。中でも、ペンタエリスリトールジ（メタ）アクリレート、ペンタエリスリトールトリ（メタ）アクリレート、ペンタエリスリトールテトラ（メタ）アクリレートが好ましい。これらは、１種を単独で、あるいは２種以上を併用して使用することができる。
【００８７】
（メタ）アクリル酸エステル単量体（α１）は、上記の多官能性単量体を含有していることが好ましい。多官能性単量体は、（メタ）アクリル酸エステル単量体（α１）１００質量％に対して、好ましくは０．１質量％以上５質量％以下、より好ましくは０．５質量％以上３質量％以下含有しているのが望ましい。
【００８８】
熱伝導性感圧接着剤組成物（ＥＡ）に含有される（メタ）アクリル酸エステル単量体（α１）の量は、（メタ）アクリル酸エステル重合体（ＡＰ１）１００質量部に対して、下限が２０質量部であることが好ましく、４０質量部であることがより好ましく、６０質量部であることがさらに好ましい。また、上限は１７０質量部であることが好ましく、１５０質量部であることがより好ましく、１３０質量部であることがさらに好ましく、８０質量部であることが特に好ましい。熱伝導性感圧接着剤組成物（ＥＡ）に含有される（メタ）アクリル酸エステル単量体（α１）の量が上記範囲の下限（２０質量部）未満又は上限（１７０質量部）を超えると、熱伝導性感圧接着剤組成物（ＥＡ）をＡ層とした際に、該Ａ層の感圧接着保持性が劣ることがある。
【００８９】
上述したように、熱伝導性感圧接着剤組成物（ＥＡ）からなるＡ層を単独で作製する際、又は、熱伝導性感圧接着剤組成物（ＥＢ）からなるＢ層上にＡ層を積層して熱伝導性感圧接着性積層シート（Ｆ）とする際に、熱伝導性感圧接着剤組成物（ＥＡ）中の（メタ）アクリル酸エステル単量体（α１）を重合させることが好ましい。該重合を促進するため、熱伝導性感圧接着剤組成物（ＥＡ）は、（メタ）アクリル酸エステル重合体（ＡＰ１）及び（メタ）アクリル酸エステル単量体（α１）に加えて、さらに、重合開始剤を含有することが好ましい。
【００９０】
重合開始剤としては、光重合開始剤、アゾ系熱重合開始剤、有機過酸化物熱重合開始剤などが挙げられるが、得られるＡ層の接着力等の観点から、有機過酸化物熱重合開始剤が好ましく用いられる。
【００９１】
光重合開始剤としては、公知の各種光重合開始剤を用いることができる。その中でも、ホスフォンオキサイド系化合物が好ましい。好ましい光重合開始剤であるホスフォンオキサイド系化合物としては、ビス（２，４，６−トリメチルベンジル）フェニルホスフィンオキサイド、２，４，６−トリメチルベンジルジフェニルホスフィンオキサイドなどが挙げられる。
【００９２】
アゾ系熱重合開始剤としては、２，２’−アゾビスイソブチロニトリル、２，２’−アゾビス（２，４−ジメチルバレロニトリル）、２，２’−アゾビス（２−メチルブチロニトリル）などが挙げられる。
【００９３】
有機過酸化物熱重合開始剤としては、ｔ−ブチルヒドロペルオキシドのようなヒドロペルオキシドや、ベンゾイルペルオキシド、シクロヘキサノンペルオキシド、１，６−ビス（ｔ−ブチルペルオキシカルボニルオキシ）ヘキサン、１，１−ビス（ｔ―ブチルペルオキシ）−３，３，５−トリメチルシクロヘキサノンのようなペルオキシドなどを挙げることができるが、熱分解時に臭気の原因となる揮発性物質を放出しないことが好ましい。有機過酸化物熱重合開始剤の中でも、１分間半減期温度が１００℃以上かつ１７０℃以下のものが好ましい。
【００９４】
有機過酸化物熱重合開始剤などの重合開始剤の使用量は、（メタ）アクリル酸エステル単量体（α１）１００質量部に対し、下限が、好ましくは０．１質量部、より好ましくは０．３質量部、さらに好ましくは０．５質量部であり、上限が、好ましくは１０質量部、より好ましくは５質量部、さらに好ましくは３質量部である。
【００９５】
（メタ）アクリル酸エステル単量体（α１）の重合転化率は、９５質量％以上であることが好ましい。重合転化率が低すぎると、得られるＡ層に単量体臭が残るので好ましくない。
【００９６】
＜膨張化黒鉛粉（Ｂ）＞
本発明に用いることができる膨張化黒鉛粉（Ｂ）の例としては、酸処理した黒鉛を５００℃〜１２００℃にて熱処理して１００ｍｌ／ｇ〜３００ｍｌ／ｇに膨張させ、次いで、粉砕することを含む工程を経て得られたものを挙げることができる。より好ましくは、黒鉛を強酸で処理した後アルカリ中で焼結し、その後再度強酸で処理したものを５００℃〜１２００℃にて熱処理して、酸を除去すると共に１００ｍｌ／ｇ〜３００ｍｌ／ｇに膨張させ、次いで、粉砕することを含む工程を経て得られたものを挙げることができる。上記熱処理の温度は、特に好ましくは８００℃〜１０００℃である。
【００９７】
本発明に用いる膨張化黒鉛粉（Ｂ）の平均粒径は３０μｍ〜５００μｍであることが好ましく、より好ましくは５０μｍ〜４００μｍであり、さらに好ましくは８０μｍ〜３００μｍである。膨張化黒鉛粉（Ｂ）の平均粒径が上記範囲の下限未満では、Ａ層の熱伝導率を向上させる効果が低くなる傾向にある。一方、膨張化黒鉛粉（Ｂ）の平均粒径が上記範囲の上限を超えると、Ａ層の表面に膨張化黒鉛粉（Ｂ）が大きなドメインで存在することにより、被接着体との界面において空隙ができやすくなり、Ａ層の熱伝導性及び粘着性が低下する虞や、成形性が悪くなる虞がある。
【００９８】
膨張化黒鉛粉（Ｂ）の平均粒径は、レーザー式粒度測定機（株式会社セイシン企業製）を用い、マイクロソーティング制御方式（測定領域内にのみ測定対象粒子を通過させ、測定の信頼性を向上させる方式）により測定する。この測定方法は、セル中に測定対象の膨張化黒鉛粉（Ｂ）０．０１ｇ〜０．０２ｇが流されることで、測定領域内に流れてくる膨張化黒鉛粉（Ｂ）に波長６７０ｎｍの半導体レーザー光が照射され、その際のレーザー光の散乱と回折が測定機にて測定されることにより、フランホーファの回折原理から、平均粒径及び粒径分布が計算され、その結果が表示される。
【００９９】
熱伝導性感圧接着剤組成物（ＥＡ）に膨張化黒鉛粉（Ｂ）が含有される場合、その含有量は、重合体（Ｓ１）を１００質量部として、下限が３０質量部であることが好ましく、３５質量部であることがより好ましく、４０質量部であることがさらに好ましい。一方、上限は、３００質量部であることが好ましく、２７０質量部であることがより好ましく、２５０質量部であることがさらに好ましい。熱伝導性感圧接着剤組成物（ＥＡ）に含有される膨張化黒鉛粉（Ｂ）の量が上記範囲の下限（３０質量部）未満であれば、Ａ層の熱伝導率を向上させる効果が低くなる傾向にある。一方、上記範囲の上限（３００質量部）を超えると、熱伝導性感圧接着剤組成物（ＥＡ）の粘度が上昇し、熱伝導性感圧接着剤組成物（ＥＡ）からＡ層を得る際の生産性が低下する他、絶縁性が低下する虞がある。
【０１００】
＜ＰＩＴＣＨ系炭素繊維（Ｃ）＞
ＰＩＴＣＨ系炭素繊維（Ｃ）とは、ピッチ（石油、石炭、コールタールなどの副生成物）を原料とする炭素繊維であり、熱伝導率が高いという特長を有する。熱伝導性感圧接着剤組成物（ＥＡ）にＰＩＴＣＨ系炭素繊維（Ｃ）が含有される場合、その含有量は、重合体（Ｓ１）を１００質量部として、下限が１００質量部であることが好ましく、１２０質量部であることがより好ましく、１３０質量部であることがさらに好ましい。一方、上限は、４００質量部であることが好ましく、３００質量部であることがより好ましく、２７０質量部であることがさらに好ましい。ＰＩＴＣＨ系炭素繊維（Ｃ）の含有量が上記範囲の上限（４００質量部）を超えると、熱伝導性感圧接着剤組成物（ＥＡ）をＡ層とした際に、該Ａ層の表面状態が悪くなる傾向にある。一方、上記範囲の下限（１００質量部）未満であれば、熱伝導性感圧接着剤組成物（ＥＡ）をＡ層とした際に、該Ａ層の熱伝導率を向上させる効果が低くなる傾向にある。
【０１０１】
＜その他の成分＞
本発明の熱伝導性感圧接着剤組成物（ＥＡ）には、さらに、必要により、発泡剤、外部架橋剤、顔料、その他の充填材、老化防止剤、増粘剤、などの公知の各種添加剤を、本発明の効果を損なわない範囲で含有することができる。
【０１０２】
（発泡剤）
熱伝導性感圧接着剤組成物（ＥＡ）には、それから得られるＡ層を発泡させるために、発泡剤を添加することもできる。発泡剤としては、熱分解性有機発泡剤が好ましい。さらに、熱分解性有機発泡剤としては、８０℃以上かつ２００℃以下の分解開始温度を有するものが好ましい。
【０１０３】
そのような熱分解性有機発泡剤の具体例としては、４，４’―オキシビス（ベンゼンスルホニルヒドラジド）などが挙げられる。アゾジカルボアミドなどの、熱分解開始温度が２００℃より高い有機発泡剤に後述する発泡助剤を一定量混合して熱分解開始温度を１００℃以上かつ２００℃以下とした発泡システムも同様に熱分解性有機発泡剤とすることができる。
【０１０４】
上記発泡助剤としては、ステアリン酸亜鉛、ステアリン酸と亜鉛華（酸化亜鉛のこと）の混合物、ラウリン酸亜鉛、ラウリン酸と亜鉛華の混合物、パルミチン酸亜鉛、パルミチン酸と亜鉛華の混合物、ステアリン酸ナトリウム、ラウリン酸ナトリウム、パルミチン酸ナトリウム、ステアリン酸カリウム、ラウリン酸カリウム、パルミチン酸カリウム、などが挙げられる。
【０１０５】
（外部架橋剤）
また、本発明の熱伝導性感圧接着剤組成物（ＥＡ）には、感圧接着剤としての凝集力を高め、耐熱性などを向上させるために、外部架橋剤を添加して、（メタ）アクリル酸エステル重合体（ＡＰ１）の存在下に（メタ）アクリル酸エステル単量体（α１）を重合してなる重合体に架橋構造を導入することができる。
【０１０６】
外部架橋剤の例としては、トリレンジイソシアネート、トリメチロールプロパンジイソシアネート、ジフェニルメタントリイソシアネートなどの多官能性イソシアネート系架橋剤；ジグリシジルエーテル、ポリエチレングリコールジグリシジルエーテル、トリメチロールプロパントリグリシジルエーテルなどのエポキシ架橋剤；メラミン樹脂架橋剤；アミノ樹脂架橋剤；金属塩架橋剤；金属キレート架橋剤；過酸化物架橋剤；などが挙げられる。
【０１０７】
外部架橋剤は、（メタ）アクリル酸エステル重合体（ＡＰ１）の存在下に（メタ）アクリル酸エステル単量体（α１）を重合してなる重合体を得た後、これに添加して、加熱処理や放射線照射処理を行うことにより、共重合体の分子内及び／又は分子間に架橋を形成させるものである。
【０１０８】
（その他）
顔料としては、カーボンブラックや、二酸化チタンなど、有機系、無機系を問わず使用できる。その他の充填材としては、クレーなどの無機化合物などが挙げられる。フラーレンやカーボンナノチューブなどのナノ粒子を添加してもよい。老化防止剤としては、ラジカル重合を阻害する可能性が高いため通常は使用しないが、必要に応じてポリフェノール系、ハイドロキノン系、ヒンダードアミン系などの酸化防止剤を使用することができる。増粘剤としては、アクリル系ポリマー粒子、微粒シリカなどの無機化合物微粒子、酸化マグネシウムなどのような反応性無機化合物を使用することできる。
【０１０９】
２．熱伝導性感圧接着剤組成物（ＥＢ）
熱伝導性感圧接着剤組成物（ＥＢ）は、ゴム、エラストマー及び樹脂よりなる群から選ばれる少なくとも一種の重合体（Ｓ２）と、難燃性熱伝導無機化合物（Ｄ）と、を含む。以下にこれらの各物質について詳細に説明する。
【０１１０】
＜重合体（Ｓ２）＞
重合体（Ｓ２）を構成するものとしては、ゴム、エラストマー及び樹脂の中から任意に選んだ少なくとも一種を挙げることができる。そして、熱伝導性感圧接着剤組成物（ＥＢ）からなるＢ層に接着性又は粘着性を備えさせるには、重合体（Ｓ２）に接着性又は粘着性を備えさせることが好ましい。重合体（Ｓ２）に、接着性又は粘着性を備えさせるためには、ゴム、エラストマー及び樹脂は、接着性又は粘着性を有するものの中から選ぶことが好ましい。しかしながら、接着性又は粘着性を有しないゴム、エラストマー及び樹脂に、粘接着性付与剤を組み合わせて用いることもできる。
【０１１１】
重合体（Ｓ２）を構成することができる、ゴム、エラストマー及び樹脂の例としては、重合体（Ｓ１）と同様の重合体を挙げることができる。また、それらの中から重合体（Ｓ２）として好ましいものは、重合体（Ｓ１）と同様の理由から、重合体（Ｓ１）と同様の重合体を挙げることができる。重合体（Ｓ２）は、一種を単独で用いてもよく、二種以上を併用してもよい。なお、重合体（Ｓ２）としては、重合体（Ｓ１）と同じ重合体を選択してもよく、異なる重合体を選択してもよい。
【０１１２】
重合体（Ｓ２）に所望により配合される粘着付与剤の例としては、重合体（Ｓ１）の説明において列記した粘着付与剤の例と同様のものを挙げることができる。また、それらの中から重合体（Ｓ２）に配合される粘着付与剤として好ましいものは、重合体（Ｓ１）に配合される粘着付与剤と同様の理由から、重合体（Ｓ１）に配合される粘着付与剤と同様のものを挙げることができる。重合体（Ｓ２）に配合される粘着付与剤は、一種を単独で用いてもよく、二種以上を併用してもよい。なお、重合体（Ｓ２）に配合される粘着付与剤としては、重合体（Ｓ１）に配合される粘着付与剤と同じものを選択してもよく、異なるものを選択してもよい。
【０１１３】
（（メタ）アクリル酸エステル重合体（ＡＰ２））
重合体（Ｓ１）と同様に、熱伝導性感圧接着剤組成物（ＥＢ）をＢ層とする際に、該Ｂ層に接着性・柔軟性を付与させやすいという観点からは、重合体（Ｓ２）が（メタ）アクリル酸エステル重合体（ＡＰ２）であることが好ましい。（メタ）アクリル酸エステル重合体（ＡＰ２）の例としては、（メタ）アクリル酸エステル重合体（ＡＰ１）と同様の重合体を挙げることができる。また、それらの中から（メタ）アクリル酸エステル重合体（ＡＰ２）として好ましいものは、（メタ）アクリル酸エステル重合体（ＡＰ１）と同様の理由から、（メタ）アクリル酸エステル重合体（ＡＰ２）と同様の重合体を挙げることができる。（メタ）アクリル酸エステル重合体（ＡＰ２）は、一種を単独で用いてもよく、二種以上を併用してもよい。なお、（メタ）アクリル酸エステル重合体（ＡＰ２）としては、（メタ）アクリル酸エステル重合体（ＡＰ１）と同じ重合体を選択してもよく、異なる重合体を選択してもよい。
【０１１４】
（（メタ）アクリル酸エステル単量体（α２））
熱伝導性感圧接着剤組成物（ＥＢ）をＢ層とする際に、該Ｂ層の成形性を向上させるという観点からは、重合体（Ｓ２）が、（メタ）アクリル酸エステル重合体（ＡＰ２）の存在下に（メタ）アクリル酸エステル単量体（α２）を重合することにより得られるものであることが特に好ましい。また、上述したように、熱伝導性感圧接着剤組成物（ＥＡ）に含有される重合体（Ｓ１）も、（メタ）アクリル酸エステル重合体（ＡＰ１）の存在下に（メタ）アクリル酸エステル単量体（α１）を重合することにより得られるものであることが好ましく、熱伝導性感圧接着剤組成物（ＥＡ）からなるＡ層及び熱伝導性感圧接着剤組成物（ＥＢ）からなるＢ層を積層して熱伝導性感圧接着性積層シート（Ｆ）とする際には、はじめにＡ層又はＢ層のどちらか一方の層を先に作製し（熱伝導性感圧接着剤組成物中の（メタ）アクリル酸エステル単量体を重合させて作製し）、その後、他方の層となる熱伝導性感圧接着剤組成物（ＥＢ）又は熱伝導性感圧接着剤組成物（ＥＡ）をその上に塗布し、塗布した熱伝導性感圧接着剤組成物中の（メタ）アクリル酸エステル単量体を重合させて（メタ）アクリル酸エステル重合体に変換させることが好ましい。かかる形態とすることによって、Ａ層とＢ層とをより密着させることができ、熱伝導性感圧接着性積層シート（Ｆ）の熱伝導性をより向上させることができる。
【０１１５】
（メタ）アクリル酸エステル単量体（α２）の例としては、（メタ）アクリル酸エステル単量体（α１）と同様の単量体を挙げることができる。また、それらの中から（メタ）アクリル酸エステル単量体（α２）として好ましいものは、（メタ）アクリル酸エステル単量体（α１）と同様の理由から、（メタ）アクリル酸エステル単量体（α１）と同様の単量体を挙げることができる。（メタ）アクリル酸エステル単量体（α２）は、一種を単独で用いてもよく、二種以上を併用してもよい。なお、（メタ）アクリル酸エステル単量体（α２）としては、（メタ）アクリル酸エステル単量体（α１）と同じ単量体を選択してもよく、異なる単量体を選択してもよい。
【０１１６】
また、上述したように、熱伝導性感圧接着剤組成物（ＥＢ）からなるＢ層を単独で作製する際、又は、熱伝導性感圧接着剤組成物（ＥＡ）からなるＡ層上にＢ層を積層して熱伝導性感圧接着性積層シート（Ｆ）とする際に、熱伝導性感圧接着剤組成物（ＥＢ）中の（メタ）アクリル酸エステル単量体（α２）を重合させることが好ましい。該重合を促進するため、熱伝導性感圧接着剤組成物（ＥＢ）は、（メタ）アクリル酸エステル重合体（ＡＰ２）及び（メタ）アクリル酸エステル単量体（α２）に加えて、さらに、重合開始剤を含有することが好ましい。該重合開始剤の例としては、熱伝導性感圧接着剤組成物（ＥＡ）に含有される重合開始剤と同様のものを挙げることができ、それらの中から好ましいものとしては、熱伝導性感圧接着剤組成物（ＥＡ）に含有される重合開始剤と同様の理由から、同様ものを挙げることができる。
【０１１７】
熱伝導性感圧接着剤組成物（ＥＢ）に含有される（メタ）アクリル酸エステル単量体（α２）の量は、（メタ）アクリル酸エステル重合体（ＡＰ２）１００質量部に対して、下限が１０質量部であることが好ましく、２０質量部であることがより好ましく、３０質量部であることがさらに好ましい。また、上限は１５０質量部であることが好ましく、１００質量部であることがより好ましく、８０質量部であることがさらに好ましく、５０質量部であることが特に好ましい。熱伝導性感圧接着剤組成物（ＥＢ）に含有される（メタ）アクリル酸エステル単量体（α２）の量が上記範囲の下限（１０質量部）未満又は上限（１５０質量部）を超えると、熱伝導性感圧接着剤組成物（ＥＢ）をＢ層とした際に、該Ｂ層の感圧接着保持性が劣ることがある。
【０１１８】
＜難燃性熱伝導無機化合物（Ｄ）＞
本発明に用いることができる難燃性熱伝導無機化合物（Ｄ）は特に限定されることはなく、その具体例としては、水酸化アルミニウム、水酸化マグネシウム、水酸化カルシウム、２水和石膏、ホウ酸亜鉛、カオリンクレー、アルミン酸カルシウム、炭酸カルシウム、炭酸アルミニウム、ドーソナイトなどが挙げられる。難燃性熱伝導無機化合物（Ｄ）は、一種を単独で使用してもよく、二種以上を併用してもよい。
【０１１９】
難燃性熱伝導無機化合物（Ｄ）の形状も特に限定されず、球状、針状、繊維状、鱗片状、樹枝状、平板状および不定形状のいずれでもよい。
【０１２０】
難燃性熱伝導無機化合物（Ｄ）の中でも、特に水酸化アルミニウムが好ましい。水酸化アルミニウムを用いることにより、Ｂ層に優れた難燃性を付与することができる。
【０１２１】
水酸化アルミニウムとしては、通常、０．２μｍ〜１５０μｍ、好ましくは０．７μｍ〜１００μｍの粒径を有するものを使用する。また、１μｍ〜８０μｍの平均粒径を有するのが好ましい。平均粒径が１μｍ未満のものは熱伝導性感圧接着剤組成物（ＥＢ）の粘度を増大させ、また、同時に硬度も増大し、Ｂ層の形状追随性を低下させる虞があり、かつ、熱伝導性が低くなる傾向にある。一方、平均粒径が８０μｍを超えるものは、Ｂ層の表面が荒れてしまい、高温で接着力が低下したり、高温で熱変形したりする虞がある。
【０１２２】
熱伝導性感圧接着剤組成物（ＥＢ）に含有される難燃性熱伝導無機化合物（Ｄ）の量は、重合体（Ｓ２）を１００質量部として、下限が５０質量部であることが好ましく、７０質量部であることがより好ましい。一方、上限は３００質量部であることが好ましく、２５０質量部であることがより好ましい。難燃性熱伝導無機化合物（Ｄ）の含有量が上記範囲の下限（５０質量部）未満では、Ｂ層の高温せん断力や熱伝導率、難燃性などが低下する傾向にある。一方、上記範囲の上限（３００質量部）を超えると、Ｂ層の硬度が増大し、形状追随性が低下する傾向にある。
【０１２３】
＜その他の成分＞
熱伝導性感圧接着剤組成物（ＥＢ）には、さらに、必要により、発泡剤、外部架橋剤、顔料、その他の充填材、老化防止剤、増粘剤、などの公知の各種添加剤を、本発明の効果を損なわない範囲で含有することができる。これらの例としては、熱伝導性感圧接着剤組成物（ＥＡ）に含有されるものとして例示したものと同様のものを挙げることができる。
【０１２４】
３．熱伝導性感圧接着性積層シート（Ｆ）
本発明の熱伝導性感圧接着性積層シート（Ｆ）は、熱伝導性感圧接着剤組成物（ＥＡ）からなるＡ層と、熱伝導性感圧接着剤組成物（ＥＢ）からなるＢ層とを備えている。Ａ層は高い熱伝導性及び柔軟性を有し、Ｂ層は熱伝導性、絶縁性及び柔軟性を有するため、熱伝導性感圧接着性積層シート（Ｆ）を、高い熱伝導性、絶縁性及び柔軟性を有する積層シートとすることができる。
【０１２５】
Ａ層とＢ層とを積層した熱伝導性感圧接着性積層シート（Ｆ）は、熱伝導性感圧接着剤組成物（ＥＢ）をシート状に成形してＢ層を作製した後、該Ｂ層の一方の面側に熱伝導性感圧接着剤組成物（ＥＡ）を層状に成形・積層することで得られる。また、熱伝導性感圧接着剤組成物（ＥＡ）をシート状に成形してＡ層を作製した後、該Ａ層の一方の面側に熱伝導性感圧接着剤組成物（ＥＢ）を層状に成形・積層することでも得られる。熱伝導性感圧接着剤組成物（ＥＡ）をシート状に成形してＡ層とする際、及び、熱伝導性感圧接着剤組成物（ＥＢ）をシート状に成形してＢ層とする際には、加熱することが好ましい。
【０１２６】
熱伝導性感圧接着性積層シート（Ｆ）は、好ましくは、（メタ）アクリル酸エステル重合体（ＡＰ２）及び（メタ）アクリル酸エステル単量体（α２）を含有する熱伝導性感圧接着剤組成物（ＥＢ）をシート状に成形しながら、又は、シート状に成形した後、熱伝導性感圧接着剤組成物（ＥＢ）中の（メタ）アクリル酸エステル単量体（α２）を重合してなるＢ層の一方の面側に、（メタ）アクリル酸エステル重合体（ＡＰ１）及び（メタ）アクリル酸エステル単量体（α１）を含有する熱伝導性感圧接着剤組成物（ＥＡ）を塗布し、該熱伝導性感圧接着剤組成物（ＥＡ）を層状に成形しながら、又は層状に成形した後、（メタ）アクリル酸エステル単量体（α１）を重合させることで、Ｂ層の一方の面側にＡ層を積層したものである。また、（メタ）アクリル酸エステル重合体（ＡＰ１）及び（メタ）アクリル酸エステル単量体（α１）を含有する熱伝導性感圧接着剤組成物（ＥＡ）をシート状に成形しながら、又は、シート状に成形した後、熱伝導性感圧接着剤組成物（ＥＡ）中の（メタ）アクリル酸エステル単量体（α１）を重合してなるＡ層の一方の面側に、（メタ）アクリル酸エステル重合体（ＡＰ２）及び（メタ）アクリル酸エステル単量体（α２）を含有する熱伝導性感圧接着剤組成物（ＥＢ）を塗布し、該熱伝導性感圧接着剤組成物（ＥＢ）を層状に成形しながら、又は層状に成形した後、（メタ）アクリル酸エステル単量体（α２）を重合させるこことで、Ａ層の一方の面側にＢ層を積層したものであることも好ましい。かかる形態とすることによって、Ａ層とＢ層とをより密着させることができ、熱伝導性感圧接着性積層シート（Ｆ）の熱伝導性をより向上させることができる。
【０１２７】
Ａ層及びＢ層のうち、一方の層に他方の層を積層しながら、又は積層した後、例えば、Ａ層及びＢ層を熱風、電気ヒーター、赤外線などにより加熱することによって、Ａ層及びＢ層をより密着させることができる。このときの加熱温度は、有機過酸化物熱重合開始剤が効率良く分解し、（メタ）アクリル酸エステル単量体（α１）及び（メタ）アクリル酸エステル単量体（α２）の重合が進行する条件が好ましい。温度範囲は、用いる有機過酸化物熱重合開始剤の種類により異なるが、１００℃〜２００℃が好ましく、１３０℃〜１８０℃がより好ましい。
【０１２８】
Ｂ層よりＡ層を先に成形する場合、Ａ層は、好ましくは、熱伝導性感圧接着剤組成物（ＥＡ）が（メタ）アクリル酸エステル重合体（ＡＰ１）及び（メタ）アクリル酸エステル単量体（α１）を含有し、該熱伝導性感圧接着剤組成物（ＥＡ）をシート状に成形しながら、又はシート状に成形した後、該（メタ）アクリル酸エステル重合体（ＡＰ１）の存在下に該（メタ）アクリル酸エステル単量体（α１）を重合することにより得られる、該熱伝導性感圧接着剤組成物（ＥＡ）の固化物（ＥＡ’）のシート状成形体である。
【０１２９】
また、Ａ層よりＢ層を先に成形する場合、Ｂ層は、好ましくは、熱伝導性感圧接着剤組成物（ＥＢ）が（メタ）アクリル酸エステル重合体（ＡＰ２）及び（メタ）アクリル酸エステル単量体（α２）を含有し、該熱伝導性感圧接着剤組成物（ＥＢ）をシート状に成形しながら、又はシート状に成形した後、該（メタ）アクリル酸エステル重合体（ＡＰ２）の存在下に該（メタ）アクリル酸エステル単量体（α２）を重合することにより得られる、該熱伝導性感圧接着剤組成物（ＥＢ）の固化物（ＥＢ’）のシート状成形体である。
【０１３０】
ただし、熱伝導性感圧接着剤組成物（ＥＡ）中の、単量体などに代表される液体成分の含有量が５質量％以下である場合には、熱伝導性感圧接着剤組成物（ＥＡ）はその固化物（ＥＡ’）と略等価とみなすことができる。実際、（メタ）アクリル酸エステル単量体（α１）などの液体成分を実質的に含んでいない熱伝導性感圧接着剤組成物（ＥＡ）は、その固化物（ＥＡ’）と等価であると考えることができる。熱伝導性感圧接着剤組成物（ＥＡ）において、該熱伝導性感圧接着剤組成物（ＥＡ）中の、単量体などに代表される液体成分の含有量が５質量％以下である場合には、熱伝導性感圧接着剤組成物（ＥＡ）を、該液体成分を固化（例えば、前記単量体を重合）することなしに、そのまま成形してＡ層とすることができる。熱伝導性感圧接着剤組成物（ＥＢ）についても同様である。
【０１３１】
熱伝導性感圧接着剤組成物（ＥＡ）又はその固化物（ＥＡ’）をシート状に成形する方法は、特に限定されない。好適な方法としては、例えば、熱伝導性感圧接着剤組成物（ＥＡ）を、剥離処理したポリエステルフィルムなどの工程紙の上に塗布するキャスト法、熱伝導性感圧接着剤組成物（ＥＡ）又はその固化物（ＥＡ’）を、必要ならば二枚の剥離処理した工程紙間に挟んで、ロールの間を通す方法、及び、押出機を用い、押出す際に、ダイスを通して厚さを制御する方法、などが挙げられる。熱伝導性感圧接着剤組成物（ＥＢ）又はその固化物（ＥＢ’）をシート状に成形する方法についても同様である。
【０１３２】
本発明の熱伝導性感圧接着性積層シート（Ｆ）におけるＡ層及びＢ層の厚さは特に限定されないが、Ａ層及びＢ層の積層体の厚さは、通常、５０μｍ〜５ｍｍである。５０μｍより薄いと、面方向への熱拡散性能の低下が起こる可能性がある他、発熱体と放熱体に貼付する際に空気を巻き込み易く、結果として充分な熱伝導性を得られない虞がある。一方、５ｍｍより厚いと、熱伝導性感圧接着性積層シート（Ｆ）の厚み方向の熱抵抗が大きくなり、放熱性が損なわれる虞があり、また薄型化機器等での使用スペースが確保できなくなる可能性がある。
【０１３３】
Ｂ層における体積固有抵抗値としては、１．０×１０１０Ω・ｃｍ（＝１．０×１０８Ω・ｍ）以上であることが好ましく、１．０×１０１２Ω・ｃｍ（＝１．０×１０１０Ω・ｍ）以上であることがより好ましく、１．０×１０１３Ω・ｃｍ（＝１．０×１０１１Ω・ｍ）以上であることがより好ましい。
【０１３４】
本発明の熱伝導性感圧接着性積層シート（Ｆ）は、Ａ層及びＢ層のみからなるものであってもよく、Ａ層及びＢ層からなる積層体の一方の面側又は両面側に基材を備えた複合体であってもよい。該基材の種類は、特に限定されない。
【０１３５】
熱伝導性感圧接着性積層シート（Ｆ）をＡ層及びＢ層のみからなるものとする場合、上述したようにＡ層及びＢ層には粘着性を付与させることができるため、両面に粘着性を有した積層シートとすることができる。
【０１３６】
Ａ層及びＢ層からなる積層体の一方の面側又は両面側に基材を備えさせる場合、該基材の具体例としては、アルミニウム、銅、ステンレス鋼、ベリリウム銅などの熱伝導性に優れる金属、及び、合金の箔状物や、熱伝導性シリコーンなどのそれ自体熱伝導性に優れるポリマーからなるシート状物や、熱伝導性フィラーを含有させた熱伝導性プラスチックフィルムや、各種不織布や、ガラスクロスや、ハニカム構造体などを挙げることができる。
【０１３７】
プラスチックフィルムとしては、ポリイミド、ポリエチレンテレフタレート、ポリエチレンナフタレート、ポリテトラフルオロエチレン、ポリエーテルケトン、ポリエーテルスルホン、ポリメチルペンテン、ポリエーテルイミド、ポリスルホン、ポリフェニレンスルフィド、ポリアミドイミド、ポリエステルイミド、芳香族ポリアミドなどの耐熱性ポリマーからなるフィルムを使用することができる。
【０１３８】
４．電子部品
本発明の熱伝導性感圧接着性積層シート（Ｆ）は、電子部品の一部として用いることができる。その際、放熱体のような基材上に直接的に形成して、電子部品の一部として提供することもできる。当該電子部品の具体例としては、エレクトロルミネッセンス（ＥＬ）、発光ダイオード（ＬＥＤ）光源を有する機器における発熱部周囲の部品、自動車等のパワーデバイス周囲の部品、燃料電池、バッテリー、太陽電池、携帯電話、携帯情報端末（ＰＤＡ）、ノートパソコン、液晶、表面伝導型電子放出素子ディスプレイ（ＳＥＤ）、プラズマディスプレイパネル（ＰＤＰ）、集積回路（ＩＣ）など発熱部を有する機器や部品を挙げることができる。
【実施例】
【０１３９】
以下に、実施例にて本発明をさらに詳しく説明するが、本発明は実施例に限定されるものではない。なお、ここで用いる「部」や「％」は、特に断らない限り、質量基準である。【０１４０】
＜界面での剥離＞
Ａ層（比較例では、Ｃ層。以下同じ。）及びＢ層（比較例では、Ｄ層。以下同じ。）の界面の外観を目視で確認した。Ａ層及びＢ層の界面において、Ａ層及びＢ層が自然に剥離していることを確認できた場合を「有」、Ａ層及びＢ層の剥離を確認できなかった場合を「無」として、結果を表１及び２に示した。【０１４１】
＜体積固有抵抗＞
熱伝導性感圧接着性積層シートを５０ｍｍ×５０ｍｍの大きさに裁断した試料を用意した。前記熱伝導性感圧接着性積層シートの両端から５ｍｍの部分を、カッターを用いて切り取った後、Ａ層とＢ層とをカッターを用いて界面から切り離し、Ｂ層の部分に体積固有抵抗計を用いて、左右両端に電流を流す２端子法にて抵抗値を測定した。該測定を３回行い、その平均値を熱伝導性感圧接着性積層シートの体積固有抵抗値として、結果を表１及び２に示した。【０１４２】
＜放熱性能＞
断熱材の上に、熱伝導性感圧接着性積層シートを２５ｍｍ×１２０ｍｍの大きさに切断した試料を、Ａ層が下になるように載せ、さらにその上に、接触面積が２５ｍｍ×２５ｍｍとなる平板状のセラミックヒータを載せた。このとき、試料の短辺側の一端とセラミックヒータの一端面とを揃えるようにして載せた。その後、２３℃雰囲気下で、セラミックヒータに２０Ｖの電圧を付加し、６０分後にセラミックヒータと試料とを上面側からサーモビジョンで撮影した。セラミックヒータ表面の最も温度が高い部分を確認し、セラミックヒータに試料を接触させてない場合のセラミックヒータの温度との差分を温度低減度とした。結果を表１及び２に示した。この温度低減度の値が大きいほど、放熱性能が高いと言える。【０１４３】
＜硬度＞
３０ｍｍ×５０ｍｍの大きさに切断した熱伝導性感圧接着性積層シートを複数枚用意した。それらの表面にタルクを使用して粉打ちし、厚さが６ｍｍ程度になるように積層した試料を用意した。該試料を硬度計（商品名「ＣＬ−１５０」、高分子計器株式会社製）の試料台上に載せ、ダンパーを落として硬度の測定を行った。ダンパーが試料に接してから２０秒後の値を測定値として読み取った。測定は２３℃雰囲気下で行った。結果を表１及び２に示した。【０１４４】
（実施例１）
反応器に、アクリル酸２−エチルヘキシル９４％とアクリル酸６％とからなる単量体混合物１００部、２，２'−アゾビスイソブチロニトリル０．０３部及び酢酸エチル７００部を入れて均一に溶解し、窒素置換後、８０℃で６時間重合反応を行った。重合転化率は９７％であった。得られた重合体を減圧乾燥して酢酸エチルを蒸発させ、粘性のある固体状の（メタ）アクリル酸エステル重合体（ＡＰ２）を得た。（メタ）アクリル酸エステル重合体（ＡＰ２）の重量平均分子量（Ｍｗ）は２７０，０００、重量平均分子量（Ｍｗ）／数平均分子量（Ｍｎ）は３．１であった。重量平均分子量（Ｍｗ）及び数平均分子量（Ｍｎ）は、テトラヒドロフランを溶離液とするゲルパーミエーションクロマトグラフィーにより、標準ポリスチレン換算で求めた。【０１４５】
次に、電子天秤を用いて、ペンタエリスリトールトリアクリレート、ペンタエリスリトールテトラアクリレート及びペンタエリスリトールジアクリレートを６０：３５：５の割合で混合した多官能性単量体０．２部、アクリル酸２−エチルヘキシル（以下、「２ＥＨＡ」と略記する。）２２．６部、メタクリル酸（以下、「ＭＡＡ」と略記する。）２．３部、有機過酸化物熱重合開始剤である１，６−ビス（ｔ−ブチルペルオキシカルボニルオキシ）ヘキサン（以下、「ｔＢＣＨ」と略記する。）〔１分間半減期温度は１５０℃である。〕１．５部の順で計量して混合し、液体原料を得た。【０１４６】
次に、上記（メタ）アクリル酸エステル重合体（ＡＰ２）７５．２部と、水酸化アルミニウム（Ｄ）（商品名「Ｂ１０３ＳＴ」、日本軽金属株式会社製、平均粒径：８μｍ）１５０．４部と、上記液体原料と、を列記した順でホバート容器に投入して減圧下において攪拌混合しながら脱泡し、熱伝導性感圧接着剤組成物（ＥＢ１）を得た。使用した原料について、表１に示す。なお、混合は、株式会社小平製作所製のホバートミキサー（商品名「ＡＣＭ−５ＬＶＴ型、容量：５Ｌ」）を用いて、下記条件に従って行った。混合条件:恒温槽（商品名「ビスコメイト  １５０ＩＩＩ」、東機産業株式会社製）を用いて、ホバート容器の温調を４０℃に設定。
１．回転数メモリ３×１０分で混合
２．回転数メモリ５×２０分で混合
３．回転数メモリ３×１０分、−０．１ＭＰａで真空脱泡しながら混合【０１４７】
その後、縦４００ｍｍ、横４００ｍｍ、深さ１ｍｍの金型の底面に離型剤付きポリエステルフィルム以下（以下、「離型ＰＥＴ」という。）を敷いてから、上記の熱伝導性感圧接着剤組成物（ＥＢ１）を、上記金型いっぱいに注入し、その上を離型ＰＥＴで覆った。金型に注入した熱伝導性感圧接着剤組成物（ＥＢ１）をシート状に成形した後、１５５℃の熱風炉で３０分間加熱して重合を行わせ、Ｂ層を得た。
Ｂ層中の残存単量体量から（メタ）アクリル酸エステル単量体混合物（α１）の重合転化率を計算したところ、９９．９％であった。【０１４８】
一方、（メタ）アクリル酸エステル重合体（ＡＰ１）６１．９部と、ＰＩＴＣＨ系炭素繊維（Ｃ）（商品名「ＸＮ−１００−０３Ｚ」、日本グラファイトファイバー株式会社製）１３２．７部と、Ｂ層に用いた多官能性単量体と同様の多官能性単量体０．２部、３５．４部の２ＥＨＡ、２．７部のＭＡＡ、及び、１．８部のｔＢＣＨをこの順で計量して混合してなる液体原料と、を列記した順でホバート容器に投入して減圧下において攪拌混合しながら脱泡し、熱伝導性感圧接着剤組成物（ＥＡ１）を得た。なお、（メタ）アクリル酸エステル重合体（ＡＰ１）は（メタ）アクリル酸エステル重合体（ＡＰ２）と同様のものであり、混合方法は熱伝導性感圧接着剤組成物（ＥＢ１）と同様である。【０１４９】
Ｂ層の一方の面側の離型ＰＥＴを剥がし、その面に熱伝導性感圧接着剤組成物（ＥＡ１）を塗布して、その上を離型ＰＥＴで覆った。これを１５５℃の熱風炉で３０分間加熱して、重合を行わせ、両面を離型ＰＥＴで覆われた、熱伝導性感圧接着性積層シート（Ｆ１）を得た。なお、Ａ層、Ｂ層共に、厚さは１ｍｍであった。
Ａ層中の残存単量体量から（メタ）アクリル酸エステル単量体混合物（α２）の重合転化率を計算したところ、９９．９％であった。
前記熱伝導性感圧接着性積層シート（Ｆ１）について各特性を評価した結果を表１に示す。【０１５０】
（実施例２〜７）
表１に示すように、各配合物種及びその量を変更した以外は実施例１と同様にして、熱伝導性感圧接着剤組成物（ＥＡ２）〜（ＥＡ７）、及び、（ＥＢ２）〜（ＥＢ７）を得て、それらから熱伝導性感圧接着性シート（Ｆ２）〜（Ｆ７）を得た。該熱伝導性感圧接着性積層シート（Ｆ２）〜（Ｆ７）について、それぞれ、各特性を評価した結果を表１に示す。【０１５１】
（比較例１、２）
表２に示すように、各配合物種及びその量を変更した以外は実施例１と同様にして、熱伝導性感圧接着剤組成物（ＥＣ１）〜（ＥＣ２）、及び、（ＥＤ１）〜（ＥＤ２）を得て、それらから、実施例のＡ層に相当するＣ層及び実施例のＢ層に相当するＤ層からなる熱伝導性感圧接着性積層シート（ＦＣ１）〜（ＦＣ２）を作製した。但し、比較例２のＣ層には、厚さ１ｍｍのアルミニウム板を用いた。上記熱伝導性感圧接着性積層シート（ＦＣ１）〜（ＦＣ２）について、それぞれ、各特性を評価した結果を表２に示す。【０１５２】
【表１】
2010073880.tif 000002
【０１５３】
【表２】
2010073880.tif 000003
【０１５４】
上記結果から、実施例１〜７の熱伝導性感圧接着性積層シートはＡ層とＢ層との界面で剥離せず、高い熱伝導性、絶縁性及び柔軟性を有する（硬度が低い）ことがわかる。一方、Ｃ層が膨張化黒鉛粉（Ｂ）及びＰＩＴＣＨ系炭素繊維（Ｃ）を共に含まない比較例１の熱伝導性感圧接着性積層シートは熱伝導性が劣っていた。また、Ｃ層がアルミニウム板である比較例２の熱伝導性感圧接着性積層シートは、界面の密着性が不十分で剥離していたため、熱伝導性が劣っており、さらに硬度が高く、形状追従性にも劣っていた。【０１５５】
＜発光ダイオード（ＬＥＤ）光源を有する機器に用いた際の表面温度低減効果＞
（実施例Ａ）
市販のＬＥＤ照明（日立ライティング株式会社製／ＬＥＳ７Ｌ／Ｋ６Ｎ−Ａ）を分解し、ＬＥＤチップを搭載した基板の裏側に、実施例５で使用したシートを６０ｃｍ×６０ｃｍの大きさに切って貼り付け、再度組み立てた後、点灯させた。ＬＥＤ照明を６０分間点灯したときのＬＥＤチップ上の拡散板の表面温度をサーモビジョンで測定した。結果を表３に示す。【０１５６】
（比較例Ａ）
市販のＬＥＤ照明（日立ライティング株式会社製／ＬＥＳ７Ｌ／Ｋ６Ｎ−Ａ）を６０分間点灯したときのＬＥＤチップ上の拡散板の表面温度をサーモビジョンで測定した。結果を表３に示す。【０１５７】
（比較例Ｂ）
実施例５で使用したシートの代わりに、市販の０．５Ｗ／ｍ・Ｋの単層シートを６０ｃｍ×６０ｃｍに切って使用した他は、実施例Ａと同様にして評価を行った。結果を表３に示す。【０１５８】
【表３】
2010073880.tif 000004
【０１５９】
本発明のシートを使用した実施例Ａでは、ＬＥＤ表面温度の低減が達成され、シートを用いない場合（比較例Ａ）に比較して、ＬＥＤ表面温度を７℃下げることができた。
一方、市販の０．５Ｗ／ｍ・Ｋの単層シートを使用した比較例Ｂでは、シートを用いない場合（比較例Ａ）に比較して、ＬＥＤ表面温度は１℃しか下がらなかった。【０１６０】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う熱伝導性感圧接着性積層シート及び電子部品もまた本発明の技術的範囲に包含されるものとして理解されなければならない。
【国際調査報告】
2010073880.tif 000005
2010073880.tif 000006
2010073880.tif 000007
2010073880.tif 000008